(57)【要約】【課題】簡単な構成で設置作業が容易にできると共にコストを低減できるアナログ式メータの撮像装置を提供する。【解決手段】アナログ式メータの撮像装置は、アナログ式メータ５０の表示部５１を囲うように、アナログ式メータ５０に一端が取り付け可能な筒体１０と、筒体１０内の他端側に設けられ、アナログ式メータ５０の表示部５１を撮像する撮像部３１と、撮像部３１により撮像されたアナログ式メータ５０の表示部５１の画像データを送信する通信部２２とを備える。【選択図】図１２
2020123099.tif 000002
【特許請求の範囲】
【請求項１】
アナログ式メータの表示部を囲うように、上記アナログ式メータに一端が取り付け可能な筒体と、
上記筒体内の他端側に設けられ、上記アナログ式メータの指示値を示す可動部と目盛とを含む上記表示部を撮像する撮像部と、
上記撮像部により撮像された上記アナログ式メータの表示部の画像データを送信する通信部と
を備えることを特徴とするアナログ式メータの撮像装置。
【請求項２】
請求項１に記載のアナログ式メータの撮像装置において、
上記通信部は、上記筒体の外周面に取り付けられていることを特徴とするアナログ式メータの撮像装置。
【請求項３】
請求項１または２に記載のアナログ式メータの撮像装置において、
上記筒体内に設けられ、上記アナログ式メータの表示部に光を照射する照明部を備えることを特徴とするアナログ式メータの撮像装置。
【請求項４】
請求項１から３のいずれか一項に記載のアナログ式メータの撮像装置において、
上記筒体の外周面の少なくとも一部に、遮光部と半透明部と光散乱部のうちの少なくとも１つを設けていることを特徴とするアナログ式メータの撮像装置。
【請求項５】
請求項１から４のいずれか一項に記載のアナログ式メータの撮像装置において、
上記アナログ式メータが取り付けられる上記筒体の一端とは反対側の他端を覆う蓋が設けられていることを特徴とするアナログ式メータの撮像装置。
【請求項６】
請求項１から５のいずれか一項に記載のアナログ式メータの撮像装置において、
上記筒体の一端を上記アナログ式メータに取り付けるための取付部を備え、
上記取付部は、内側の大きさが調整可能な構成をしていることを特徴とするアナログ式メータの撮像装置。
【発明の詳細な説明】
【技術分野】
【０００１】
この発明は、アナログ式メータの撮像装置に関する。
【背景技術】
【０００２】
従来、アナログ式メータの撮像装置としては、アナログ式メータの指針が指示する指示値を判定するために、カメラを用いてアナログ式メータの表示部を撮像するものがある(例えば、特開２０１２−１０４０３２号公報(特許文献１)参照)。
【０００３】
上記アナログ式メータの撮像装置では、アナログ式メータの表示部にカメラのレンズが正対するようにカメラを設置して、アナログ式メータの表示部を撮像する。
【先行技術文献】
【特許文献】
【０００４】
【特許文献１】特開２０１２−１０４０３２号公報
【発明の概要】
【発明が解決しようとする課題】
【０００５】
上記従来のアナログ式メータの撮像装置では、アナログ式メータの表示部から所定の間隔をあけてカメラを設置するときに、アームなどを組み合わせた複雑な取付構造を用いていたため、設置作業に手間がかかったり、取付構造のコストが高くなったりするという問題がある。
【０００６】
特に、工場設備などにおいて多数のアナログ式メータの指示値を読み取って、データ管理をしたり保守点検をしたりする場合、アナログ式メータの撮像装置の数が膨大となり、装置１台あたりの設置作業の手間やコスト高は大きな問題である。
【０００７】
そこで、この発明の課題は、簡単な構成で設置作業が容易にできると共にコストを低減できるアナログ式メータの撮像装置を提供することにある。
【課題を解決するための手段】
【０００８】
この発明の一態様に係るアナログ式メータの撮像装置は、
アナログ式メータの表示部を囲うように、上記アナログ式メータに一端が取り付け可能な筒体と、
上記筒体内の他端側に設けられ、上記アナログ式メータの指示値を示す可動部と目盛とを含む上記表示部を撮像する撮像部と、
上記撮像部により撮像された上記アナログ式メータの表示部の画像データを送信する通信部と
を備えることを特徴とする。
【０００９】
上記構成によれば、アナログ式メータの表示部を囲うように、アナログ式メータに筒体の一端を取り付け、筒体内の他端側に設けられた撮像部によりアナログ式メータの表示部を撮像して、撮像されたアナログ式メータの表示部の画像データを通信部から送信する。このアナログ式メータの撮像装置は、複雑な取付構造を用いることなく、アナログ式メータに筒体の一端を取り付けできる簡単な構成であるので、設置作業が容易にできると共にコストを低減できる実現できる。さらに、上記通信部が無線により画像データを送信する構成とすることによって、信号配線が不要になるので、設置の作業性が向上する。
【００１０】
また、一実施形態のアナログ式メータの撮像装置では、
上記通信部は、上記筒体の外周面に取り付けられている。
【００１１】
上記実施形態によれば、通信部が筒体の外周面に取り付けられて、筒体内に撮像部による撮像を遮るものを無くすことで、アナログ式メータの表示部の撮像に最適な位置に撮像部を配置することができる。また、通信部に遮られることなく、筒部の他端側からアナログ式メータの表示部を視認することが可能になる。
【００１２】
また、一実施形態のアナログ式メータの撮像装置では、
上記筒体内に設けられ、上記アナログ式メータの表示部に光を照射する照明部を備える。
【００１３】
上記実施形態によれば、筒体内に設けられた照明部により、アナログ式メータの表示部に光を照射することで、外部の照明環境などによる影響を抑えて、撮像部によるアナログ式メータの表示部の撮像が容易に行える。
【００１４】
また、一実施形態のアナログ式メータの撮像装置では、
上記筒体の外周面の少なくとも一部に遮光部または半透明部を設けている。
【００１５】
上記実施形態によれば、筒体の外周面の少なくとも一部に、遮光部と半透明部と光散乱部のうちの少なくとも１つを設けることによって、外乱光の影響を抑制できる。
【００１６】
また、一実施形態のアナログ式メータの撮像装置では、
上記アナログ式メータが取り付けられる上記筒体の一端とは反対側の他端を覆う蓋が設けられている。
【００１７】
上記実施形態によれば、アナログ式メータが取り付けられる筒体の一端とは反対側の他端を蓋で覆うことによって、蓋により筒体内の撮像部などを保護できる。この蓋に透光性を備えることにより、アナログ式メータの表示部を、蓋を透して視認することが可能になる。
【００１８】
また、一実施形態のアナログ式メータの撮像装置では、
上記筒体の一端を上記アナログ式メータに取り付けるための取付部を備え、
上記取付部は、内側の大きさが調整可能な構成をしている。
【００１９】
上記実施形態によれば、外形の大きさが異なる複数のアナログ式メータを筒体の一端に取り付け可能な取付部を備えることによって、外形の大きさが異なる様々なアナログ式メータに同じ筒体を取り付けることが可能になり、部品の共有化によりコストを低減できる。
【発明の効果】
【００２０】
以上より明らかなように、この発明によれば、アナログ式メータの表示部を囲うように、アナログ式メータに筒体の一端を取り付け、筒体内の他端側に設けられた撮像部によりアナログ式メータの表示部を撮像して、撮像されたアナログ式メータの表示部の画像データを通信部から送信するので、簡単な構成で設置作業が容易にできると共にコストを低減できるアナログ式メータの撮像装置を実現することができる。
【図面の簡単な説明】
【００２１】
【図１】この発明の第１実施形態のアナログ式メータの撮像装置の撮像装置本体の斜視図である。
【図２】上記撮像装置本体の正面図である。
【図３】上記撮像装置本体の側面図である。
【図４】上記撮像装置本体の裏面図である。
【図５】図２のＶ−Ｖ線から見た撮像装置本体の断面図である。
【図６】上記撮像装置本体をアナログ式メータへの取り付け方を示す模式図である。
【図７】第１取付金具の斜視図である。
【図８】第２取付金具の斜視図である。
【図９】アナログ式メータに第１取付金具を固定した状態を示す図である。
【図１０】アナログ式メータに第１取付金具と第２取付金具を固定した状態を示す図である。
【図１１】アナログ式メータに第１取付金具と第２取付金具および撮像装置本体を固定した状態を示す図である。
【図１２】図１１のXII−XII線から見た断面図である。
【図１３】この発明の第２実施形態のアナログ式メータの撮像装置において、針式メータに第１取付金具と第２取付金具および撮像装置本体を固定した状態を示す図である。
【図１４】図１３のXIV−XIV線から見た断面図である。
【発明を実施するための形態】
【００２２】
以下、この発明のアナログ式メータの撮像装置を図示の実施の形態により詳細に説明する。なお、図面において、同一の参照番号は、同一部分または相当部分を表わすものである。また、長さ、幅、厚さ、深さ等の図面上の寸法は、図面の明瞭化と簡略化のために実際の尺度から適宜変更されており、実際の相対寸法を表してはいない。
【００２３】
〔第１実施形態〕
図１は、この発明の第１実施形態のアナログ式メータの撮像装置の撮像装置本体１の斜視図であり、図２は、撮像装置本体１の正面図である。このアナログ式メータの撮像装置は、解析装置(図示せず)に対して、アナログ式メータの指示値を示す可動部と目盛とを含む表示部の画像データを無線ネットワークを介して解析装置に送信し、解析装置は、受信した画像データを解析してアナログ式メータの指示値を得る。この第１実施形態のアナログ式メータは、可動部としての針が回動する針式メータである。
【００２４】
上記アナログ式メータの撮像装置を用いて、工場設備などにおける多数のアナログ式メータの指示値を読み取って、データ管理をしたり保守点検をしたりする。
【００２５】
この第１実施形態の撮像装置本体１は、図１に示すように、アナログ式メータ５０(図６に示す)の表示部５１を囲うように、アナログ式メータ５０に一端が取り付け可能な円筒形状の筒体１０と、筒体１０内の他端側に設けられ、アナログ式メータ５０の指示値を示す針と目盛とを含む表示部５１を撮像する撮像部３１と、撮像部３１により撮像されたアナログ式メータ５０の表示部５１の画像データを無線ネットワークを介して送信する通信部２２(図５に示す)とを備える。アナログ式メータ５０が取り付けられる筒体１０の一端とは反対側の他端を蓋１１により覆っている。筒体１０と蓋１１とは、透光性を有するポリカーボネイトにより一体に成形されている。
【００２６】
図１において、筒体１０の一端側の外周面を覆うように環状の遮光部１２を設けている。また、筒体１０の一端側に周方向１２０°間隔で３つのスリット１０ａを設けている(図４参照)。
【００２７】
上記筒体１０の外周面に通信部２２(図５に示す)を含むモジュール２０が取り付けられている。また、筒体１０内には、モジュール２０から蓋１１の内面に沿って筒体１０の径方向内側に向かって延びるアーム３０を設けている。このアーム３０の先端に撮像部３１を取り付けている。撮像部３１は、円筒形状の筒体１０の中心軸上に撮像部３１の光軸が一致するように配置されている。
【００２８】
図３は、撮像装置本体１の側面図を示しており、２１はモジュール２０内に収容された通信部２２とバッテリー２３とが配置された区画である。
【００２９】
また、図４は、撮像装置本体１の裏面図を示しており、モジュール２０から延びるアーム３０かつ撮像部３１の近傍に照明部３２を設けている。照明部３２からアナログ式メータ５０(図６に示す)の表示部５１に光を照射する。照明部３２にはＬＥＤ(Light Emitting Diode：発光ダイオード)を用いている。
【００３０】
図５は、図２のＶ−Ｖ線から見た撮像装置本体１の断面図である。区画２１内に通信部２２とバッテリー２３とを有する。
【００３１】
撮像装置本体１は、図６の模式図に示すように、アナログ式メータ５０に図示しない第１,第２取付金具１００,２００(図７,図８に示す)を用いて取り付けられる。
【００３２】
図７は、第１取付金具１００の斜視図であり、この第１取付金具１００は、図７に示すように、Ｃ字形状の環状基部１０１と、環状基部１０１の開口側両端から径方向外側に屈曲する屈曲部１０２,１０３と、環状基部１０１の外周面に周方向１２０°間隔で設けられた３つのネジ受け部１０４を有する。
【００３３】
屈曲部１０２に円穴１０２ａが設けられ、屈曲部１０３の夫々に円穴１０３ａが設けられている。この屈曲部１０２,１０３の円穴１０２ａ,１０３ａにネジ１０５を挿通し、ネジ１０５にナット１０６を螺合する。また、ネジ受け部１０４の夫々にネジ穴１０４ａが設けられている。
【００３４】
また、図８は、第２取付金具２００の斜視図であり、この第２取付金具２００は、図８に示すように、Ｃ字形状の環状基部２０１と、環状基部２０１の開口側両端から径方向外側に屈曲する屈曲部２０２,２０３と、環状基部１０１の外周面に周方向１２０°間隔で設けられた３つ円穴２０１ａを有する。第２取付金具２００の環状基部２０１の外径は、第１取付金具１００の環状基部１０１の外径よりも大きい。
【００３５】
屈曲部２０２に円穴２０２ａが設けられ、屈曲部２０３の夫々に円穴２０３ａが設けられている。この屈曲部２０２,２０３の円穴２０２ａ,２０３ａにネジ２０５を挿通し、ネジ２０５にナット２０６を螺合する。
【００３６】
第１,第２取付金具１００,２００は、取付部の一例である。第１取付金具１００と第２取付金具２００および撮像装置本体１でアナログ式メータの撮像装置を構成している。
【００３７】
次に、図９〜図１１に従ってアナログ式メータ５０に第１取付金具１００と第２取付金具２００および撮像装置本体１を固定する手順を説明する。
【００３８】
まず、図９に示すように、アナログ式メータ５０の外周に第１取付金具１００のＣ字形状の環状基部１０１を嵌めて、屈曲部１０２,１０３の円穴１０２ａ,１０３ａに挿通したネジ１０５にナット１０６を螺合して締め付ける。これにより、アナログ式メータ５０に第１取付金具１００を固定する。
【００３９】
次に、図１０に示すように、第２取付金具２００の環状基部２０１の３つ円穴２０１ａにツマミ付きネジ２１０,２１０,２２０を挿入し、各ツマミ付きネジ２１０,２１０,２２０を、第１取付金具１００のネジ受け部１０４のネジ穴１０４ａに螺合させる。これにより、第１取付金具１００に第２取付金具２００取り付ける。
【００４０】
ここで、ツマミ付きネジ２２０は、ツマミ部分がツマミ付きネジ２１０,２１０よりも軸方向長さが長く、かつ、ツマミ部分が外側に向かって徐々に大径となる円錐台形状である。
【００４１】
次に、図１１に示すように、第２取付金具２００の環状基部２０１内に撮像装置本体１の筒体１０の一端側を挿入し、筒体１０の３つのスリット１０ａにツマミ付きネジ２１０,２１０,２２０のネジ部が挿入されるようにする。そして、さらに、ツマミ付きネジ２１０,２１０,２２０を夫々締め付けることにより、第２取付金具２００の環状基部２０１が縮径して、アナログ式メータ５０に撮像装置本体１が固定される。
【００４２】
図１２は、図１１のXII−XII線から見た断面図である。図１２において、撮像装置本体１の撮像部３１のレンズの光軸方向は、アナログ式メータ５０の表示部５１の略中央を向いている。
【００４３】
上記アナログ式メータの撮像装置は、アナログ式メータ５０の表示部５１を囲うように、アナログ式メータ５０に筒体１０の一端を取り付け、筒体１０内の他端側に設けられた撮像部３１によりアナログ式メータ５０の表示部５１を撮像して、撮像されたアナログ式メータ５０の表示部５１の画像データを通信部２２から送信する。
【００４４】
上記構成のアナログ式メータの撮像装置は、複雑な取付構造を用いることなく、撮像装置本体１の筒体１０の一端をアナログ式メータ５０に取り付けできる簡単な構成であるので、設置作業が容易にできると共にコストを低減できる実現できる。さらに、上記のアナログ式メータの撮像装置は、通信部２２が無線により画像データを送信すると共に、内蔵のバッテリー２３により電力が供給させるので、外部と接続する電源線や信号配線が不要になるので、設置の作業性が向上する。
【００４５】
また、撮像装置本体１の通信部２２が筒体１０の外周面に取り付けられて、筒体１０内に撮像部３１による撮像を遮るものを無くすことにより、アナログ式メータ５０の表示部５１の撮像に最適な位置に撮像部３１を配置することができる。また、通信部２２に遮られることなく、筒部１０の蓋１１側からアナログ式メータ５０の表示部５１を視認することが可能になる。
【００４６】
また、撮像装置本体１の筒体１０内に設けられた照明部３２により、アナログ式メータ５０の表示部５１に光を照射することで、外部の照明環境などによる影響を抑えて、撮像部３１によるアナログ式メータ５０の表示部５１の撮像が容易に行える。
【００４７】
ここで、撮像部３１による撮像時のみ照明部３２をオンして、アナログ式メータ５０の表示部５１に光を照射する。撮像部３１による撮像時以外は照明部３２をオフにする。
【００４８】
また、撮像装置本体１の筒体１０の外周面の一部に遮光部１２を設けることによって、外乱光の影響を抑制できる。
【００４９】
なお、撮像装置本体１の筒体１０の外周面全部に遮光部を設けてもよいし、筒体１０の外周面全部および蓋１１に遮光部を設けてもよい。また、撮像装置本体の筒体の外周面に設ける遮光部は、外部からの光を完全に遮るものに限らない。例えば、筒体１０の外周面の少なくとも一部を光透過率の低い例えば半透明部としてもよいし、筒体の外周面または内周面の少なくとも一方に微細な凹凸をつけることより筒体内に入射する光を散乱させる光散乱部を設けてもよい。あるいは、遮光部と半透明部と光散乱部のうちの２つ以上を組合せて筒体に設けてもよい。
【００５０】
また、撮像装置本体１の筒体１０の他端(アナログ式メータ５０とは反対側)を蓋１１で覆うことによって、蓋１１により筒体１０内の撮像部３１などを保護することができる。また、アナログ式メータ５０の表示部５１を、透光性を有する蓋１１で覆うことで、蓋１１を透して表示部５１を視認することができる。
【００５１】
〔第２実施形態〕
図１３は、この発明の第２実施形態のアナログ式メータの撮像装置において、アナログ式メータ６０に第１取付金具３００と第２取付金具２００および撮像装置本体１を固定した状態を示している。この第２実施形態のアナログ式メータの撮像装置は、アナログ式メータ６０と第１取付金具３００を除いて第１実施形態のアナログ式メータの撮像装置と同一の構成をしている。アナログ式メータ６０は、アナログ式メータ５０よりも外形の大きさが小さい。
【００５２】
図１３に示すように、第１取付金具３００は、第１実施形態の第１取付金具１００と同様に、アナログ式メータ６０に固定される。そして、第１取付金具３００に設けられた３つのネジ受け部１０４で、第２取付金具２００が第１取付金具３００にツマミ付きネジ２１０,２１０,２２０により固定される。
【００５３】
第１,第２取付金具３００,２００は、取付部の一例である。第１取付金具３００と第２取付金具２００および撮像装置本体１でアナログ式メータの撮像装置を構成している。
【００５４】
図１４は、図１３のXIV−XIV線から見た断面図である。図１４において、撮像装置本体１の撮像部３１のレンズの光軸方向は、アナログ式メータ６０の表示部５１の略中央を向いている。
【００５５】
上記第２実施形態のアナログ式メータの撮像装置は、第１実施形態のアナログ式メータの撮像装置と同様の効果を有する。
【００５６】
上記第１,第２実施形態のように、アナログ式メータの撮像装置は、内側の大きさが調整可能な取付部(１００,２００,３００)を備えることによって、外形の大きさが異なる様々なアナログ式メータ５０,６０に同じ筒体１０を取り付けることが可能になり、部品の共有化によりコストを低減できる。
【００５７】
また、上記第１,第２実施形態のアナログ式メータの撮像装置は、アナログ式メータに取り付けるので、アナログ式メータが振動するような環境でも撮像への振動の影響が少ない。
【００５８】
また、上記第１,第２実施形態では、取付部である第１,第２取付金具１００,２００,３００および撮像装置本体１を備えたアナログ式メータの撮像装置について説明したが、取付部はこれに限らず、他の構成の取付部を用いてもよい。例えば、取付部に弾性部材などを用いて内側の大きさが調整可能な構成としてもよい。あるいは、撮像装置本体の筒部をアナログ式メータに直接取り付ける取り付け構造を用いてもよい。
【００５９】
また、上記第１,第２実施形態では、照明部３２を備えたアナログ式メータの撮像装置について説明したが、例えば外部の照明環境が良好である場合に照明部を備えないアナログ式メータの撮像装置としてもよい。この場合、照明環境の影響を受けにくい自動露出機能などを備えた撮像部を用いるのが好ましい。
【００６０】
上記第１,第２実施形態では、バッテリー２３を備えたアナログ式メータの撮像装置について説明したが、バッテリーの代わりに電源線を介して電力が供給されるアナログ式メータの撮像装置としてもよい。
【００６１】
また、上記第１,第２実施形態では、取付金具を備えたアナログ式メータの撮像装置について説明したが、筒体の一端にアナログ式メータを取り付ける他の構成の取付金具でもよい。
【００６２】
また、上記第１,第２実施形態では、アナログ式メータの撮像装置の筒体１０を円筒形状としたが、これに限らず、アナログ式メータの外形に応じて矩形状または多角形状の筒体を備えてものでもよい。
【００６３】
また、上記第１,第２実施形態では、画像データを無線により送信する通信部２２を備えたアナログ式メータの撮像装置について説明したが、この発明アナログ式メータの撮像装置は、画像データを有線により送信する通信部を備えたアナログ式メータの撮像装置でもよい。
【００６４】
また、上記第１,第２実施形態では、正面視において通信部２２を含むモジュール２０が筒体１０の下側になるように、撮像装置本体１をアナログ式メータ５０,６０に取り付けたが、モジュール２０の位置はこれに限らず、正面視においてモジュール２０が筒体１０の例えば上側になるように、撮像装置本体１をアナログ式メータ５０,６０に取り付けてもよい。
【００６５】
また、上記第１,第２実施形態では、可動部としての針が回動する針式メータであるアナログ式メータ５０,６０にアナログ式メータの撮像装置を取り付けたが、アナログ式メータは、針式メータに限らない。アナログ式メータとは、指示値を示す可動部と目盛とを含む表示部を備えたメータである。例えば、指示値を液面(可動部)で示す液面計などもアナログ式メータである。
【００６６】
この発明の具体的な実施の形態について説明したが、この発明は上記第１,第２実施形態に限定されるものではなく、この発明の範囲内で種々変更して実施することができる。
【符号の説明】
【００６７】
１…撮像装置本体
１０…筒体
１０ａ…スリット
１１…蓋
１２…遮光部
２０…モジュール
２１…区画
２２…通信部
２３…バッテリー
３０…アーム
３１…撮像部
３２…照明部
５０,６０…アナログ式メータ
５１…表示部
１００,３００…第１取付金具
１０１…環状基部
１０２,１０３…屈曲部
１０４…ネジ受け部
１０５…ネジ
１０６…ナット
２００…第２取付金具
２０１…環状基部
２０１ａ…円穴
２０２,２０３…屈曲部
２１０,２１０…ツマミ付きネジ
２２０…ツマミ付きネジ
【図１】
2020123099.tif 000003
【図２】
2020123099.tif 000004
【図３】
2020123099.tif 000005
【図４】
2020123099.tif 000006
【図５】
2020123099.tif 000007
【図６】
2020123099.tif 000008
【図７】
2020123099.tif 000009
【図８】
2020123099.tif 000010
【図９】
2020123099.tif 000011
【図１０】
2020123099.tif 000012
【図１１】
2020123099.tif 000013
【図１２】
2020123099.tif 000014
【図１３】
2020123099.tif 000015
【図１４】
2020123099.tif 000016
【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
アナログ式メータの表示部を囲うように、上記アナログ式メータに一端が取り付け可能な透光性を有する筒体と、
上記筒体内の他端側に設けられ、上記アナログ式メータの指示値を示す可動部と目盛とを含む上記表示部を撮像する撮像部と、
上記撮像部により撮像された上記アナログ式メータの表示部の画像データを送信する通信部と
を備え、
上記筒体の外周面の上記一端側に、上記筒体の外周面の周方向に沿って環状の遮光部が設けられていることを特徴とするアナログ式メータの撮像装置。
【請求項２】
請求項１に記載のアナログ式メータの撮像装置において、
上記通信部は、上記筒体の外周面に取り付けられていることを特徴とするアナログ式メータの撮像装置。
【請求項３】
請求項１または２に記載のアナログ式メータの撮像装置において、
上記筒体内に設けられ、上記アナログ式メータの表示部に光を照射する照明部を備えることを特徴とするアナログ式メータの撮像装置。
【請求項４】
請求項１から３のいずれか一項に記載のアナログ式メータの撮像装置において、
上記筒体の外周面の少なくとも一部に、半透明部と光散乱部のうちの少なくとも１つを設けていることを特徴とするアナログ式メータの撮像装置。
【請求項５】
請求項１から４のいずれか一項に記載のアナログ式メータの撮像装置において、
上記アナログ式メータが取り付けられる上記筒体の一端とは反対側の他端を覆う蓋が設けられていることを特徴とするアナログ式メータの撮像装置。
【請求項６】
請求項１から５のいずれか一項に記載のアナログ式メータの撮像装置において、
上記筒体の一端を上記アナログ式メータに取り付けるための取付部を備え、
上記取付部は、内側の大きさが調整可能な構成をしていることを特徴とするアナログ式メータの撮像装置。
【手続補正２】
【補正対象書類名】明細書
【補正対象項目名】０００８
【補正方法】変更
【補正の内容】
【０００８】
この発明の一態様に係るアナログ式メータの撮像装置は、
アナログ式メータの表示部を囲うように、上記アナログ式メータに一端が取り付け可能な透光性を有する筒体と、
上記筒体内の他端側に設けられ、上記アナログ式メータの指示値を示す可動部と目盛とを含む上記表示部を撮像する撮像部と、
上記撮像部により撮像された上記アナログ式メータの表示部の画像データを送信する通信部と
を備え、
上記筒体の外周面の上記一端側に、上記筒体の外周面の周方向に沿って環状の遮光部が設けられていることを特徴とする。
【手続補正３】
【補正対象書類名】明細書
【補正対象項目名】００１４
【補正方法】変更
【補正の内容】
【００１４】
また、一実施形態のアナログ式メータの撮像装置では、
上記筒体の外周面の少なくとも一部に、半透明部と光散乱部のうちの少なくとも１つを設けている。
【手続補正４】
【補正対象書類名】明細書
【補正対象項目名】００１５
【補正方法】変更
【補正の内容】
【００１５】
上記実施形態によれば、筒体の外周面の少なくとも一部に、半透明部と光散乱部のうちの少なくとも１つを設けることによって、外乱光の影響を抑制できる。